(57)【要約】【課題】堆積土砂の粒径に拘わらず、効率的に排砂を行う。【解決手段】ダム湖等の貯水池２に堆積する堆積土砂３を排砂管７により吸引して排砂する排砂方法において、上記貯水池２内に浮かべられた台船１５より上記排砂管７を吊り下げ、他方上記堆積土砂３の表面４に、これに沿って堆積土砂３を覆うシート状部材５を敷設すると共に、上記排砂管７の吸引口１１を上記シート状部材５の裏面側の堆積土砂３に臨ませて吸引排砂し、且つその吸引排砂に伴う堆積土砂３面の低下に応じて上記排砂管７を下降させるようにした。【選択図】        図１
2004324355.tif 000002
【特許請求の範囲】
【請求項１】
ダム湖等の貯水池に堆積する堆積土砂を排砂管により吸引して排砂する排砂方法において、上記貯水池内に浮かべられた台船より上記排砂管を吊り下げ、他方上記堆積土砂の表面に、これに沿って堆積土砂を覆うシート状部材を敷設すると共に、上記排砂管の吸引口を上記シート状部材の裏面側の堆積土砂に臨ませて吸引排砂し、且つその吸引排砂に伴う堆積土砂面の低下に応じて上記排砂管を下降させるようにしたことを特徴とする貯水池の排砂方法。
【請求項２】
ダム湖等の貯水池に堆積する堆積土砂を排砂管により吸引して排砂する排砂方法において、上記堆積土砂の表面に、これに沿って堆積土砂を覆うシート状部材を敷設し、該シート状部材の裏面部の堆積土砂に上記排砂管の吸引口を臨ませて吸引排砂すると共に、上記排砂管の吸引口近傍に上記シート状部材の表面側より裏面側へと貯水を導入して、上記吸引口近傍の堆積土砂を撹拌して吸引排砂を促進するようにしたことを特徴とする貯水池の排砂方法。
【請求項３】
ダム湖等の貯水池に堆積する堆積土砂を排砂管により吸引して排砂する排砂装置において、上記貯水池に浮かべられた台船より上記排砂管を吊り下げ、該排砂管の吸引口に、これより径方向外方に拡大されて上記堆積土砂の表面を覆うシート状部材を設けて、該シート状部材の裏面側の堆積土砂を吸引排砂するように構成すると共に、上記台船に、上記吸引排砂に伴う堆積土砂面の低下に応じて上記排砂管を下降させる降下手段を設けたことを特徴とする貯水池の排砂装置。
【請求項４】
ダム湖等の貯水池に堆積する堆積土砂を排砂管により吸引して排砂する排砂装置において、上記排砂管の吸引口に、これより径方向外方に拡大されて上記堆積土砂の表面を覆うシート状部材を設けて、該シート状部材の裏面側の堆積土砂を吸引排砂するように構成すると共に、上記排砂管の吸引口の近傍に、上記シート状部材の表面側より裏面側へと貯水を導入して、上記吸引口近傍の堆積土砂を撹拌させる土砂撹拌手段を設けたことを特徴とする貯水池の排砂装置。
【請求項５】
上記土砂撹拌手段が、上記排砂管の吸引口近傍に形成され上記シート状部材の表面側より裏面側へと貯水を導入するための導入孔からなり、この導入孔から導入される貯水の水流で上記堆積土砂を撹拌するように構成された請求項４記載の貯水池の排砂装置。
【請求項６】
上記土砂撹拌手段が、上記排砂管の吸引口近傍に設けられた噴射管と、該噴射管に接続された貯水を供給する撹拌用ポンプとを備えた請求項４記載の貯水池の排砂装置。
【発明の詳細な説明】
【０００１】
【発明の属する技術分野】
本発明は、ダム湖等の貯水池の堆積土砂を排砂するための貯水池の排砂方法及び排砂装置に関するものである。
【０００２】
【従来の技術】
近年、ダムが予想を上回る速さで土砂に埋まり、総貯水量１００万立方メートル以上の中規模ダム７８２ダムのうち、４４ダムはすでに貯水池の半分以上が堆積土砂によって埋まっていることが、国土交通省の調査によって報告されている。
【０００３】
そのため、ダム湖等の貯水池の堆積土砂を排砂して、ダム建設時の貯水量に回復させることが重要な課題となっている。
【０００４】
そこで、従来では、吸引管による浚渫や排砂ゲートによる浚渫等、種々の排砂方法（例えば、特許文献１参照）が採用されていた。
【０００５】
しかしながら、上述の従来の排砂方法は、一度に広い範囲の堆積土砂を排砂できない、排砂管に異物の詰まりが生じる等の問題があった。
【０００６】
そこで、本出願人は、広い範囲の堆積土砂を排砂できると共に、異物の詰まりが生じないようにした排砂方法を提案（特願２００２−０６２１５７号）した。
【０００７】
この先願の方法は、排砂管廻りの堆積土砂の表面を、不透水性の遮水部材で覆い、その状態で排砂管に設けた排砂ゲートを開くことで、排砂管に流水を流し、これによりその流水と共に土砂を排砂管から流すようにしたものである。この排砂方法では、遮水部材に水圧が直接作用してその下方の堆積土砂を水圧で押さえるため、排砂管に流入する土砂は排砂管に向かう水流で運ばれる比較的粒径の小さな土砂であり、径の大きな異物は遮水部材で押さえられて移動できないため、異物による詰まりを解決でき、しかも遮水部材で覆った範囲の堆積土砂を排砂できるといった優れた効果を有する。
【０００８】
しかし、上述の排砂方法では、排砂開始時に排砂管が堆積土砂に埋まっており、そのため排砂ゲートを開けると、排砂管に接した堆積土砂層がその内圧によって崩壊し、非常に濃度の高い土砂流が、排砂管を流下する。従って、その下流では、非常に大きな圧力変動を伴うので、排砂管や排砂ゲート等の設備が破損する虞がある。また、排砂管の設置の無いダムについては使用できないという問題もある。さらに、ダム堤体に予め設けた排砂管及び排砂ゲートを使用しているため、異物の噛み込みが無いものの、万一、土砂が排砂ゲートに流れ込み、排砂ゲートが閉まらなくなる虞れが依然としてあり、現実的な実施に問題を残している。
【０００９】
そこで、本出願人は、上記排砂方法をさらに改良して、排砂ゲートを用いずに排砂が行える貯水池の排砂方法及び排砂装置を提案（特願２００３−６１３８０号）した。
【００１０】
この排砂方法は、図４に示すように、ダム湖等の貯水池２に堆積する土砂３を排砂管７により吸引して排砂する排砂方法において、堆積土砂３の表面４に、これを覆うシート状部材５を敷設し、そのシート状部材５の裏面部より排砂管７の吸引口１１を堆積土砂３の表面４に臨ませて吸引排砂するようにしたことを特徴とする。
【００１１】
これによれば、排砂管７の吸引によって、シート状部材５と堆積土砂３との間に水流を作ることができ、これによる掃流作用で、堆積土砂３を広い範囲から効率的に吸引することができると共に、従来利用されていた排砂ゲートを必要としないので、排砂ゲートを備えていないダムでも適用できるといった優れた効果が奏される。
【００１２】
【特許文献１】
特開平８−１３４５３号公報
【００１３】
【発明が解決しようとする課題】
ところで、ダム等の貯水池に堆積する堆積土砂は、粒径が様々な砂やシルト等にて構成されている。しかしながら、上述の排砂方法及び排砂装置では、効率的に排砂できる土砂の粒径が限られてしまうことが実験により判った。例えば、排砂される堆積土砂３が細砂（粒径約０．３ｍｍ）で構成される場合には、シート状部材５と堆積土砂３との間に程良い水流が発生して、非常に効率的な吸引排砂が行われるが、堆積土砂３が粗砂（粒径約１．０ｍｍ）やシルト（粒径約０．０４ｍｍ）で構成される場合には、効率的な吸引排砂が十分に行われないことが判った。
【００１４】
そこで、本発明は上記問題を解決するために案出されたものであって、堆積土砂の粒径に拘わらず、効率的に排砂が行える貯水池の排砂方法及び排砂装置を提供することを目的とする。
【００１５】
【課題を解決するための手段】
上記目的を達成するために、請求項１の発明は、ダム湖等の貯水池に堆積する堆積土砂を排砂管により吸引して排砂する排砂方法において、上記貯水池内に浮かべられた台船より上記排砂管を吊り下げ、他方上記堆積土砂の表面に、これに沿って堆積土砂を覆うシート状部材を敷設すると共に、上記排砂管の吸引口を上記シート状部材の裏面側の堆積土砂に臨ませて吸引排砂し、且つその吸引排砂に伴う堆積土砂面の低下に応じて上記排砂管を下降させるようにした貯水池の排砂方法である。
【００１６】
請求項２の発明は、ダム湖等の貯水池に堆積する堆積土砂を排砂管により吸引して排砂する排砂方法において、上記堆積土砂の表面に、これに沿って堆積土砂を覆うシート状部材を敷設し、該シート状部材の裏面部の堆積土砂に上記排砂管の吸引口を臨ませて吸引排砂すると共に、上記排砂管の吸引口近傍に上記シート状部材の表面側より裏面側へと貯水を導入して、上記吸引口近傍の堆積土砂を撹拌して吸引排砂を促進するようにした貯水池の排砂方法である。
【００１７】
請求項３の発明は、ダム湖等の貯水池に堆積する堆積土砂を排砂管により吸引して排砂する排砂装置において、上記貯水池に浮かべられた台船より上記排砂管を吊り下げ、該排砂管の吸引口に、これより径方向外方に拡大されて上記堆積土砂の表面を覆うシート状部材を設けて、該シート状部材の裏面側の堆積土砂を吸引排砂するように構成すると共に、上記台船に、上記吸引排砂に伴う堆積土砂面の低下に応じて上記排砂管を下降させる降下手段を設けた貯水池の排砂装置である。
【００１８】
請求項４の発明は、ダム湖等の貯水池に堆積する堆積土砂を排砂管により吸引して排砂する排砂装置において、上記排砂管の吸引口に、これより径方向外方に拡大されて上記堆積土砂の表面を覆うシート状部材を設けて、該シート状部材の裏面側の堆積土砂を吸引排砂するように構成すると共に、上記排砂管の吸引口の近傍に、上記シート状部材の表面側より裏面側へと貯水を導入して、上記吸引口近傍の堆積土砂を撹拌させる土砂撹拌手段を設けた貯水池の排砂装置である。
【００１９】
請求項５の発明は、上記土砂撹拌手段が、上記排砂管の吸引口近傍に形成され上記シート状部材の表面側より裏面側へと貯水を導入するための導入孔からなり、この導入孔から導入される貯水の水流で上記堆積土砂を撹拌するように構成された請求項４記載の貯水池の排砂装置である。
【００２０】
請求項６の発明は、上記土砂撹拌手段が、上記排砂管の吸引口近傍に設けられた噴射管と、該噴射管に接続された貯水を供給する撹拌用ポンプとからなる請求項４記載の貯水池の排砂装置である。
【００２１】
【発明の実施の形態】
以下、本発明の好適な実施の形態を添付図面に基づいて説明する。
【００２２】
図１は、本発明の第一の実施の形態を示した全体断面図である。
【００２３】
図１に示すように、堆積土砂３を排砂するに際しては、まず、貯水池２内に浮かべられた台船１５より、堆積土砂３を吸引排砂するための排砂管７を吊り下げると共に、十分な敷設面積を有するシート状部材５を、浚渫すべき堆積土砂３の表面４に敷設する。
【００２４】
このシート状部材５は、不透水性或いは難透水性の布、樹脂或いはゴム等によって形成され、堆積土砂３の表面４に追従できる柔軟性と、水中で浮かずに沈む性質とを有している。シート状部材５は、上記布、樹脂或いはゴム等に、メッシュ状の補強材を設けて形成したものであってもよい。
【００２５】
シート状部材５の形状は、円形或いは多角形状とし、その直径は、後述する水流が作用する範囲とシート状部材５による堆積土砂３を押さえてシールする範囲を考慮して約１００ｍ程度に形成するのがよいが、数１０〜百数十ｍの範囲のものが使用できる。
【００２６】
シート状部材５の敷設は、具体的には、まず、シート状部材５を、台船１５に畳まれた状態で載せ、これを畳んだ状態のままで水底の目標位置まで沈め、その水底部で広げて敷設する。なお、シート状部材５を水面近くで広げて、その状態で徐々に沈めるようにしてもよい。
【００２７】
また、シート状部材５の周縁部８には、当該シート状部材５が貯水池２内の水流等によって浮き上がるのを防止するためのウエイト９が取り付けられる。ウエイト９は、シート状部材５の周縁部８全周に沿って設けられたチェーン等のリング状でかつ可撓性を有するもので構成し、敷設時に、堆積土砂３の表面形状に応じて変形して、シート状部材５の周縁部８を堆積土砂３にウエイト９の自重で押しつけるものがよい。
【００２８】
このシート状部材５の中央には、排砂穴６が形成され、排砂管７が、その吸引口１１がシート状部材５の排砂穴６を通して、シート状部材５の表面部から裏面側の堆積土砂３に臨むように接続される。
【００２９】
排砂管７は、可撓性のある樹脂管や、ゴムホースなどの可撓管からなり、その直径は、排砂効率を考慮して大きいものが好ましいが、作業性を考慮して約３００ｍｍ程度のものが好ましい。なお、排砂管７は、可撓管だけでなく一部鋼管を使用してもよい。
【００３０】
この排砂管７の接続は、シート状部材５の敷設前に、予め接続しても、敷設後に接続しても何れでもよい。シート状部材５と排砂管７の接続は、排砂管７の先端の吸引口１１の周囲にフランジ１６を形成しておき、またシート状部材５の排砂穴６に予めフランジ１６を取り付ける受け座（図示せず）を形成し、フランジ１６をシート状部材５の受け座の上側に設置して、ボルト・ナットなどにより接続する。
【００３１】
排砂管７は、その長さが、貯水池２の水深と、浚渫位置上の水面からダム堤体（図４参照）１４までの距離と、ダム堤体１４の上面から貯水池２の水面までの高さを合計した長さより十分に長く（貯水池の水深によっても相違するが数百ｍ程度）形成されており、このため、所定長さのものを順次接続して必要長さに形成する。
【００３２】
排砂管７は、台船１５上に支持し、その台船１５から排出口（図４参照）１２が、ダム堤体１４の上部を跨いで、ダム堤体１４よりも下流側に位置するように敷設する。排砂管７には、吸引排砂用のポンプ２１と適宜バルブ（図示せず）を接続しておく。
【００３３】
このポンプ２１によって、排砂管７の吸引口１１から、シート状部材５の裏面部の堆積土砂３が水と共に吸引され、ダム堤体１４の下流側の排出口１２から下流側へと排出される。
【００３４】
このとき、シート状部材５の裏面側では、シート状部材５と堆積土砂３の表面４との間に吸引口１１へと向かう水平方向の水流が発生し、その掃流作用によって、堆積土砂３は、その表面４が崩されて吸引口１１まで流され、排砂管７によって吸引排砂される。
【００３５】
以上説明した構成は、先願（特願２００３−６１３８０号）の排砂方法及び排砂装置と同様である。
【００３６】
ところで、この堆積土砂３の排砂は、堆積土砂３を構成する砂やシルトの粒径によって大きく効率が左右されることが実験により判った。先願の構成では、堆積土砂３が細砂（粒径約０．３ｍｍ）である場合に、効率的に排砂できるが、堆積土砂３が粗砂（粒径約１．０ｍｍ）である場合には、図５に示すように、排砂管７が、フランジ１６を底部として堆積土砂３内に沈み込んでしまう傾向がある。
【００３７】
これは、粗砂は砂間の間隙が多いため、透水係数が大きく、排砂管７によって吸引される水の全量が、排砂管７の吸引口１１に設けられたフランジ１６の下部から吸い上げられるので、排砂管７が堆積土砂３内に沈み込むためである。そのため、シート状部材５の裏面側で水平方向の水流が発生せず、掃流作用が起こらないので、効率的な排砂ができない。
【００３８】
そこで、本実施の形態では、堆積土砂３が粗砂からなる場合も排砂管７の沈み込みを防止して掃流作用を起こすために、台船１５に、吸引排砂に伴う堆積土砂３面の低下に応じて排砂管７を下降させる降下手段２６を設けた。
【００３９】
以下、これについて説明する。
【００４０】
台船１５には、降下手段２６となる巻上機２４が設けられており、その巻上機２４に巻かれた牽引ロープ２５の下端を排砂管７の先端のフランジ１６に接続し、排砂管７を吊り下げて支持する。
【００４１】
排砂管７には、その吸い込み圧を計測する圧力計２２と内部を流れる土砂水の土砂濃度を計測する土砂濃度計２３とを接続しておく。
【００４２】
降下手段２６は、巻上機２４によって排砂管７を一定速度で下降させつつ、圧力計２２と土砂濃度計２３とで吸い込み圧と土砂濃度をモニタリングしながら、その検出値に応じて、下降速度を変化させる。具体的には、排砂管７の吸引口１１が堆積土砂３の表面４から離れ過ぎると、土砂の流量が減って土砂濃度が低くなるため、これを検知したときに、フランジ１６の下降速度を速くする。一方、排砂管７の吸引口１１が堆積土砂３の表面４に近づき過ぎると、それに応じて水流量が減り土砂濃度が高くなると共に、吸い込み圧が低下するため、これを検知したときに、フランジ１６の下降を停止するか或いは上昇を行う。
【００４３】
これによって、排砂管７の沈み込みを防止できると共に、排砂管７下部のフランジ１６と堆積土砂３の表面４に適度な隙間を確保することができ、その隙間に、吸引口１１へ向かう水平方向の水流が発生する。よって、この水流により掃流作用が起こり堆積土砂３の表面４から土砂が順次崩され、水流と共に中央に移動した後、排砂管７に吸引される。そして、堆積土砂３の表面４は、その土砂の安息角よりも平らになり、シート状部材５の全周に亘って平均的に堆積土砂３を排砂することができる。
【００４４】
なお、排砂管７の途中に、排砂される堆積土砂３の採取装置（図示せず）を設け、サンプリングした堆積土砂３の粒径を調べて、これに応じて排砂管７の下降速度を変化させるときの土砂濃度及び吸い込み圧を決定するようにしてもよい。この場合、土砂濃度及び吸い込み圧は予め実験等により最適値を求めて設定しておく。
【００４５】
そして、シート状部材５を敷設した部分での排砂が終了した後は、シート状部材５を順次別の位置に移動して排砂を行うことによって、貯水池２全体に亘る排砂を行う。
【００４６】
ところで、堆積土砂３がシルト（粒径約０．０４ｍｍ）で構成される場合には、図６に示すように、シート状部材５が堆積土砂３の表面４に貼り付いてしまい、排砂管７による吸引排砂ができない。
【００４７】
これは、シルトは粒間の間隙が少ないため、透水係数が小さく、排砂管７によって吸引される水が、吸引口１１付近に供給されないため、フランジ１６及びシート状部材５が堆積土砂３に貼り付いて水流が発生せず、掃流作用が起こらないので、吸引排砂ができないためである。
【００４８】
そこで、図２に示す本発明の第二の実施の形態は、堆積土砂３がシルトからなる場合でも、シート状部材５の貼り付きを防止して掃流作用を起こさせるように、フランジ１６に、シート状部材５の表面側より裏面側へと貯水を導入して、吸引口１１近傍の堆積土砂を撹拌させる土砂撹拌手段３４として、導入孔２８を形成した。
【００４９】
導入孔２８は、裏面側端部が表面側端部に対してフランジ１６の中心側に近くなるように傾斜して形成されており、表面側から裏面側へと導入される貯水の水流が吸引口１１の下部の堆積土砂３の表面４に向かって流れるように構成されている。導入孔２８は、排砂管７の内径よりも十分に小さい内径を有しており、フランジ１６に複数（本実施の形態では２箇所）形成されている。なお、導入孔２８は、１箇所或いは３箇所以上であってもよい。
【００５０】
なお、導入孔２８は、フランジ１６に形成する代わりに、シート状部材５に形成してもよい。
【００５１】
上記構成によれば、導入孔２８よりシート状部材５の裏面部へ貯水が吸い込まれる。これは、排砂管７による吸引によって、シート状部材５の裏面部が表面部よりも低い水圧となっているためである。
【００５２】
よって、シート状部材５の表面側から裏面側へと排砂管７に吸引される水を供給することができるので、フランジ１６やシート状部材５が、堆積土砂３の表面４に貼り付くのを防止できると共に、導入孔２８より流入する貯水によって水流が発生する。その掃流作用によって堆積土砂３の表面４が崩され、堆積土砂３が撹拌されるので、土砂が排砂管７に吸引されやすくなる。
【００５３】
この撹拌によって、堆積土砂３の表面４には、窪み３３が一旦竪穴状に形成されるが、この窪み３３の壁面は、水流によって撹拌されると共に、堆積土砂３の内圧（図中矢印にて示す）がかかってくるので、排砂管７の吸引口１１の下部に次々と崩れていき、排砂されていく。よって、土砂の撹拌が窪み３３の水平方向に広がっていき、堆積土砂３を安息角よりも平らにすることができる。
【００５４】
さらに、導入孔２８の内径が排砂管７の内径よりも十分小さく形成されているので、導入孔２８から流れる水流の流速を速くすることができ、撹拌効率を向上できる。
【００５５】
このとき、堆積土砂３が撹拌されて濁水が発生するが、その上部はシート状部材５及びフランジ１６で覆われているので、貯水池２内に濁水が流れ込むことはない。
【００５６】
なお、本実施の形態に、第一の実施の形態の降下手段２６を設ければ、堆積土砂３が粗砂の場合でもシルトの場合でも対応することができるので、排砂中に堆積土砂３が変化しても、連続して効率的な排砂を行うことができる。
【００５７】
図３は、本発明の第三の実施の形態を示した要部断面図である。本実施の形態も上記第二の実施の形態と同様に、堆積土砂３がシルトで構成される場合に適用される排砂方法及び排砂装置を示したものである。
【００５８】
かかる排砂装置の土砂撹拌手段３４は、積極的に堆積土砂３の撹拌を行うために、排砂管７の吸引口１１近傍に設けられた噴射管３５と、この噴射管３５に堆積土砂３を撹拌するための貯水を供給する撹拌用ポンプ３９とからなる。なお、その他の構成については、上記第二の実施の形態と同様である。
【００５９】
噴射管３５は、フランジ１６に形成された貫通孔３６に挿通されるパイプ３７と、そのパイプ３７に接続される高圧水ホース３８とで構成される。本実施の形態では噴射管３５は、吸引口１１の近傍に２本設けられている。なお、噴射管３５の本数は２本に限られるものではない。
【００６０】
パイプ３７は、金属等からなり、貫通孔３６に嵌合されている。パイプ３７の先端は、排砂管７の下部の堆積土砂３の表面４近傍或いは若干堆積土砂３内に差し込まれる位置まで延出しており、堆積土砂３の表面４或いは内部に直接貯水の水流を当てるようになっている。高圧水ホース３８は、ゴムや樹脂等の可撓性を有する材質からなり、排砂管７の下降に追従できるように構成されている。高圧水ホース３８の上流側端は、撹拌用ポンプの吐出口へと接続されている。
【００６１】
本実施の形態によれば、排砂管７の吸引とは別の水流発生源を有しているので、第二の実施の形態の土砂撹拌手段３４よりも強い水流を発生させることができ、撹拌効果が大きい。さらに、パイプ３７の先端が、堆積土砂３の表面４近傍或いは若干堆積土砂３内に差し込まれる位置まで延出しているので、水流を堆積土砂３の表面４のより近くに当てることができ、さらに撹拌効果が大きく、排砂効率を大幅に向上できる。
【００６２】
従って、堆積土砂３がさらに粒径の小さいシルトや粘土等によって構成される場合であっても、堆積土砂３の撹拌が行え、水流による掃流作用を起こすことができるので効率的な排砂が行える。
【００６３】
また、撹拌用ポンプ３９によって、水流の強弱を調整したり、脈動流を発生させたりすることによって、撹拌効果をさらに大きくすることもできる。
【００６４】
【発明の効果】
以上要するに本発明によれば、堆積土砂の粒径に拘わらず、効率的に排砂が行えるといった優れた効果を発揮する。
【図面の簡単な説明】
【図１】本発明に係る貯水池の排砂装置の好適な第一の実施の形態を示した全体断面図である。
【図２】本発明に係る貯水池の排砂装置の好適な第二の実施の形態を示した要部断面図である。
【図３】本発明に係る貯水池の排砂装置の好適な第三の実施の形態を示した要部断面図である。
【図４】貯水池の排砂装置を示した全体断面図である。
【図５】図４の排砂装置で粗砂からなる堆積土砂を排砂した状態を示した断面図である。
【図６】図４の排砂装置でシルトからなる堆積土砂を排砂した状態を示した断面図である。
【符号の説明】
２  貯水池
３  堆積土砂
４  （堆積土砂の）表面
５  シート状部材
７  排砂管
１１  （排砂管の）吸引口
１５  台船
２６  降下手段
２８  導入孔
３４  土砂撹拌手段
３５  噴射管
３９  撹拌用ポンプ
【図１】
2004324355.tif 000003
【図２】
2004324355.tif 000004
【図３】
2004324355.tif 000005
【図４】
2004324355.tif 000006
【図５】
2004324355.tif 000007
【図６】
2004324355.tif 000008